(57)【特許請求の範囲】
【請求項１】
第１周縁部を有する基板と、
前記第１周縁部に配置される光源と、
第２周縁部と内側部を有する導光板であって、前記第２周縁部は前記光源と対向する第１面とその反対側の第２面を有し、前記第１面には前記光源からの光が入射する入光部が備えられ、前記第２面には、前記入光部に入射した光を前記第２周縁部から前記内側部へ反射する傾斜部が備えられる、導光板と、
前記光源からの光を遮蔽する遮蔽板であって、前記入光部から入射しない光が前記内側部に入射しないようにする遮蔽板と、
前記遮蔽板が立設されたハウジングと、を備える発光エンブレムであって、
前記基板は、前記第１周縁部に沿って前記遮蔽板を挿入するための貫通孔を有しており、
前記基板の前記貫通孔に挿通させた前記遮蔽板の先端を前記導光板に当接させて前記導光板を支持するとともに、前記入光部および前記傾斜部が、前記遮蔽板よりも前記発光エンブレムの外縁側に位置するように、前記基板および前記導光板を前記ハウジングの凹部内に収容させた、発光エンブレム。
【請求項２】
前記入光部は凸状部と、該凸状部の周囲に設置され、前記光源から入射した光を反射する反射部とを有する、請求項１に記載の発光エンブレム。
【請求項３】
前記傾斜部と前記反射部が直接連続する、請求項２に記載の発光エンブレム。
【発明の詳細な説明】
【技術分野】
【０００１】
本発明は発光エンブレムに関する。
【背景技術】
【０００２】
自動車等の車両に設けられたエンブレムを夜間でも視認できるようにしたり、夜間におけるエンブレムの意匠性を向上させたりするため、オーナメントを光透過性の加飾により構成し、オーナメントの裏側にバックライトを配置する構成が採用されることがある。そのような構成の一つとして、特許文献１（実用新案登録第３１６９５６４号公報）にはＬＥＤ発光エンブレムが提案されている。特許文献１の図２に記載のＬＥＤ発光エンブレムは、エンブレム本体を載置した状態でエンブレム本体の下方に空間を形成できる扁平なケーシングと、ケーシングの内周面に設置されたＬＥＤ光源と、ＬＥＤ光源とエンブレム本体との間に設置された拡散板とを備え、ＬＥＤ光源はケーシング底面と平行な指向性を有するように設置されている。
上記構成によれば、ケーシング内周面に設置されたＬＥＤ光源からの光はエンブレム本体とケーシングで形成された空間に向って照射されると共に、当該空間内で反射し、拡散板を介してエンブレム本体の外側に放出される。特許文献１の図２に記載の構成は、上記空間内での光の反射によりＬＥＤの指向性を和らげ、更に拡散板によって指向性を和らげることを意図している。また、ＬＥＤ光源をケーシングの内周面に設置することで、エンブレム本体の面積全体にわたって光を効率よく分散させることも意図している。
【先行技術文献】
【特許文献】
【０００３】
【特許文献１】実用新案登録第３１６９５６４号公報
【特許文献２】特開２０１５−６４９９４号公報
【発明の概要】
【発明が解決しようとする課題】
【０００４】
しかしながら、特許文献１の図２に記載された構成は、ＬＥＤ基板の延在方向がＬＥＤ発光エンブレムの奥行き方向（すなわち、厚さ方向）と一致する構成となっていることから、ＬＥＤ発光エンブレムの奥行き寸法（すなわち、厚さ）が大きくなってしまい、結果としてエンブレムの意匠性が低下する可能性がある。
特許文献２（特開２０１５−６４９９４号公報）の図２には、光源としてのＬＥＤの光軸が導光板の延在方向と直角に近い角度を成す構成が記載されている。仮に特許文献２の構成を発光エンブレムに適用した場合には、ＬＥＤ基板の延在方向を発光エンブレムの延在方向に近づけることができる。
ただし、特許文献２の入光部の、導光板の直線部分からの突出高さが比較的大きいため、特許文献２の構成をそのまま発光エンブレムに適用した場合には、発光エンブレムの奥行き寸法（すなわち、厚さ）が大きくなってしまい、やはり意匠性が低下する可能性がある。
【０００５】
本発明は上記に鑑み、薄型で、かつ、均一性の高い発光を行い得る発光エンブレムを提供することを、その目的の一つとする。
【課題を解決するための手段】
【０００６】
本発明の発明者らは上記課題を解決するために鋭意検討を重ねた結果、以下のような本発明の各局面に想到した。
すなわち、本発明の第１の局面に係る発光エンブレムは、第１周縁部を有する基板と、第１周縁部に配置される光源と、第２周縁部と内側部を有する導光板であって、第２周縁部は光源と対向する第1面とその反対側の第２面を有し、第１面には光源からの光が入射する入光部が備えられ、第２面には、入光部に入射した光を第２周縁部から内側部へ反射する傾斜部が備えられる、導光板と、光源からの光を遮蔽する遮蔽板であって、入光部から入射しない光が内側部に入射しないようにする遮蔽板と、を備える発光エンブレムであって、傾斜部は、遮蔽板よりも発光エンブレムの外縁側に位置する。
【発明の効果】
【０００７】
上記局面に係る発光エンブレムによれば、導光板はその周縁部の第１面に光源と対向する入光部を有し、反対側の第２面に傾斜部を有することから、光源から入光部に入射した光を傾斜部により導光板の内側部（すなわち、導光板の周縁部を除く、中央部付近を含む部分）へ伝播させることができる。そのため、薄型でありながらも均一性の高い発光を行い得る発光エンブレムを提供することができる。また、傾斜部は、遮蔽板よりも発光エンブレムの外縁側に位置する。このように、傾斜部が遮蔽板よりも発光エンブレムの中央に近い側まで延在しないようにすることで、導光板の厚さ方向の寸法を小さくできる。結果として、薄型の発光エンブレムを提供することができる。
【０００８】
また、本発明の第２の局面によれば、上記発光エンブレムにおいて、入光部は凸状部と、凸状部の周囲に設置され、光源から入射した光を反射する反射部とを有する。これにより、例えば、光源から入光部を介して進入した光を導光板内で略平行光とする構成とすることが可能である。また、入光部は、遮蔽板よりも発光エンブレムの外縁側に位置する。これにより、特定の方向から光源が視認されることを防止できる。
また、本発明の第３の局面によれば、上記発光エンブレムにおいて、傾斜部と反射部が直接連続する。これにより入光部の突出高さを抑制でき、導光板の厚さ方向の寸法を小さくできる。結果として、薄型の発光エンブレムを提供することができる。
また、本発明の第４の局面によれば、上記発光エンブレムにおいて、遮蔽板が導光板に当接する。これにより、遮蔽板は導光板の支持要素としての機能を兼ねることができる。
また、本発明の第５の局面によれば、上記発光エンブレムは遮蔽板が設けられるハウジングを更に有し、基板は、遮蔽板を挿入するための貫通孔を有する。このような構成とすれば、遮蔽板を貫通孔に挿入することにより基板の位置決めを行うことができ、発光の均一性が高められる。
【図面の簡単な説明】
【０００９】
【図１】図１は、本発明の一実施形態に係る発光エンブレムの正面図である。
【図２】図２は、図１の発光エンブレムの分解斜視図である。
【図３】図３は、図１の発光エンブレムの一点鎖線ＩＩＩ−ＩＩＩにおける断面図である。
【図４】図４は、図１の発光エンブレムの要部断面図である。
【図５】図５は、図１の発光エンブレムのハウジングの正面図である。
【図６】図６は、図１の発光エンブレムの基板の正面図である。
【図７】図７は、図１の発光エンブレムの導光板を示す図であり、図７（Ａ）は正面図、図７（Ｂ）は裏面図である。
【図８】図８は、一実施形態の変形例に係る発光エンブレムの要部断面図である。
【図９】図９は、変形例に係る発光エンブレムの導光板を示す裏面図である。
【発明を実施するための形態】
【００１０】
以下、本発明の一実施形態に係る発光エンブレム１につき、添付図を参照しながら説明する。図１は一実施形態に係る発光エンブレム１の正面図であり、本例の発光エンブレム１は自動車等の車両に取り付けられ、メーカーの名前やロゴマーク、車名やグレード等（以下、これらを総称して「マーク」とする）を示すものである。図１においては、破線の丸印と三角印によりマークを概略的に示している。図２は発光エンブレム１の分解斜視図であり、図３は図１の発光エンブレム１の一点鎖線ＩＩＩ−ＩＩＩにおける断面図である。これらの図に示すように、本例の発光エンブレム１は、枠体１０、オーナメント２０（装飾体）、シート３０、導光板４０、基板５０、ハウジング６０を重ね合わせ、組み合わせることにより成り、全体の形状は略平坦である。図２ではマークの図示を省略している。ハウジング６０は例えば自動車のラジエータグリルに取り付けられる。発光エンブレム１を自動車へ取り付けるためのねじやねじ穴等の取り付け構造、および、自動車から電力供給を受けるための構造については図示を省略している。図示の発光エンブレム１は外周形状が楕円状となっているが、これは単なる例示であって、本発明は何らこれに限られない。
【００１１】
図５はハウジング６０の正面図である。ハウジング６０は不透光性の合成樹脂（例えば、ＡＥＳ樹脂、ＡＢＳ樹脂、ＡＳＡ樹脂、ＰＣ樹脂、等）からなり、図３および図５に示す様に、自動車への取り付け面側となる底面部６１と、その周縁に立設される壁部６２とを有し、これら底面部６１と壁部６２により凹部６３を画定する。壁部６２の底面部６１と反対側の先端部分の外側部分から枠体取付け部６４が、自動車への取付け方向（図３では下方向。以下、「取り付け方向」とも称する）かつ外側に向かって傾斜する庇状に形成されている。底面部６１の取り付け方向と反対側の面（図３では上面）には、壁部６２の近傍において壁部６２に沿って延在する複数の（図示例では６枚の）遮蔽板６５が立設されている。図５中の一点鎖線（ＩＩＩ）−（ＩＩＩ）は図１の一点鎖線ＩＩＩ−ＩＩＩの通る位置を示す（図６、図７（Ａ）においても同じ趣旨である）。
【００１２】
図６は基板５０の正面図である。基板５０は、表面に配線を有するガラスエポキシ基板や、フレキシブル基板等の配線基板である。基板５０上の配線は図示を省略している。基板５０の外周形状はハウジング６０の壁部６２の内周の形状に沿う形状であり、それにより基板５０はハウジング６０の凹部６３内に収容され、底面部６１上に設置される。基板５０の周縁部近傍には複数の（図示例では１２個の）ＬＥＤ５１が、基板５０の周方向に沿う所定の位置に分散配置され実装されている。基板５０において、ＬＥＤ５１が配置されている箇所の内側の、ＬＥＤ５１に近接する位置に、複数の（図示例では６つの）貫通孔５２（スリット）が周方向に沿って延在するように形成されている。１個または複数のＬＥＤ５１に対して１つの貫通孔５２が形成されている。各貫通孔５２は、対応するＬＥＤ５１と基板５０の中央部付近とを結ぶ線分を横切るように形成されている。これらの複数の貫通孔５２は、ハウジング６０の複数の遮蔽板６５に対応する位置および形状を有するように形成されている。これにより、基板５０をハウジング６０の凹部６３内に設置する際、ハウジング６０の遮蔽板６５をそれぞれ基板５０の対応する貫通孔５２に挿入できるようになっている。これにより基板５０のハウジング６０に対する位置決めが成されるという効果がある。
【００１３】
図７は、図１の発光エンブレムの導光板４０を示す図であり、図７（Ａ）は正面図、図７（Ｂ）は裏面図である。導光板４０は透明な樹脂（例えば、アクリル樹脂、ＰＣ樹脂、等）からなる全体的に扁平な形状を有する部材である。導光板４０はハウジング６０の壁部６２の内周に沿う外周形状を有し、ハウジング６０の凹部６３の内部に収容される。その場合、導光板４０の基板５０側の面（以下、「裏面」とする）は、基板５０の複数の貫通孔５２から突出するハウジング６０の複数の遮蔽板６５の先端と当接し、これらにより支持される。導光板４０の裏面のうち、少なくとも遮蔽板６５と当接する部分を除く部分であって、中央部付近を含む部分には多数の微細な凹部４１が形成されている。導光板４０の裏面の、複数のＬＥＤ５１と対向する部分には、それぞれのＬＥＤ５１に対応する入光部４２が凸設されている。図３の一点鎖線ＩＶで囲った範囲を拡大した図４、および、図７（Ｂ）に示すように、各入光部４２は中央の凸状部４３と、その周りに環状に凸設される反射部４４とを有する。導光板４０のＬＥＤ５１と反対側の面（以下、「正面」とする）の周縁部には傾斜部４５が形成されており、傾斜部４５は、導光板４０の外周側へ行くほど基板５０側へ近づくように傾斜する。
【００１４】
図３を参照し、シート３０は透明な合成樹脂（例えば、ＰＣ樹脂、ＰＭＭＡ樹脂、ＰＥＴ樹脂、等）からなり、装飾用の各種加工（例えば、着色加工、ハーフミラー加工、模様の印刷加工等）が施されている。シート３０は導光板４０の正面上に配置される。
オーナメント２０は組み立て後に裏側となる面（裏面）に、マークの形状の彫り込み２１が形成されている。オーナメント２０の裏面の周縁部が、ハウジング６０の壁部６２の先端面に対して接合される。オーナメント２０とハウジング６０の接合により箱形状となる。接合の方法としては、超音波溶着やレーザ溶着といった溶着や、ホットメルトや接着剤による接着などが例示できる。接合部分を除くオーナメント２０の裏面には装飾用の各種加工（例えば、着色加工、ハーフミラー加工、模様の印刷加工等）が施されている。オーナメント２０と導光板４０の間にシート３０が挟まれる。オーナメント２０の、組み立て後に表側となる面（正面）の周縁部には段差２２が形成されている。
オーナメント２０およびシート３０の少なくとも一方の周縁部であって少なくともＬＥＤ５１と重なる部分およびその近傍についてはその加飾の透過度合いを変化させる（例えば、透明度を下げたり、不透明としたりする）ことでＬＥＤ５１を隠蔽する。
【００１５】
枠体１０の全体的な形状は環状の形状であり、より詳細には、枠体１０はオーナメント２０の段差２２と重なる内周側の環状部１１と、環状部１１から外側へ向かって傾斜状に延在するカバー部１２とからなる。カバー部１２はハウジング６０の枠体取り付け部６４に沿う形状を有し、組み立て時にはカバー部１２と枠体取り付け部６４とが両面テープ等で接着される。あるいは、枠体取り付け部６４を省略して、カバー部１２を円筒状に形成し、その内周面をハウジング６０の壁部６２の外周面に対して接着してもよい。
【００１６】
（発光エンブレム１の機能の説明）
次に、組み立て完了後の発光エンブレム１の機能について、主に図３および図４を参照して説明する。ＬＥＤ５１の光軸は導光板４０の入光部４２側へ向けられている。ＬＥＤ５１の起動によりＬＥＤ５１から発せられた光は、入光部４２を介して導光板４０の内部へ進入する。より詳しくは、入光部４２の凸状部４３の焦点にＬＥＤ５１が配置されており、図４において矢印ｂ、ｃ、ｄにより例示するように、凸状部４３に入射した光は導光板４０内部において略平行光となる。
入光部４２の反射部４４の内周面は光の入射面として機能し、外周面は反射面として機能する。図４において矢印ａ、ｅにより例示するように、反射部４４の入射面に入射した光は、反射面により反射（または全反射）され、凸状部４３に入射した光と導光板４０内部において略平行な光となる。
【００１７】
図４において矢印ｂ、ｃ、ｄ、ｅにより例示するように、入光部４２を介して導光板４０内部へ進入した光の一部は、反射面として機能する傾斜部４５により、光軸に対して横方向に反射（または全反射）される。傾斜部４５による反射（または全反射）を可能とするため、例えば傾斜部４５は、ＬＥＤ５１の光軸に対して約４５°の傾斜角を有するように形成されている。こうして導光板４０の内側部（すなわち、周縁部を除く、中央部付近を含む部分）へ向けられた光は、導光板４０の正面から外側へ出たり、裏面の多数の微細な凹部４１により反射された後に導光板４０の正面から外側へ出たりして、シート３０およびオーナメント２０を通過して発光エレメント１の正面から外部へ出射される。
なお、図４において矢印ａにより例示するように、入光部４２から導光板４０の内部へ進入した光の一部は傾斜部４５に当たることなく導光板４０の正面から外へ出る。この点、上述の通りオーナメント２０およびシート３０の少なくとも一方の周縁部のＬＥＤ５１と重なる部分およびその近傍部分の加飾の透過度合いを変化させているため、この光の発光エレメント１の外部への漏出は抑制されている。
【００１８】
上述および図３、図４に示すとおり、ハウジング６０の遮蔽板６５は基板５０の貫通孔５２に挿入されている。これにより、遮蔽板６５はＬＥＤ５１の近傍、かつ、ＬＥＤ５１よりも発光エンブレム１の内側（中央寄りの側）に配置される。これにより、発光エンブレム１の外から、オーナメント２０およびシート３０の透明部分を通してＬＥＤ５１が視認されることを防ぐ。各遮蔽板６５は、ＬＥＤ５１から発光エンブレム１の中央に向かう方向を横切るように延在する。これによりＬＥＤ５１の視認防止効果を高めることができる。
【００１９】
図４に示すように、傾斜部４５の内側の端部（図４では左側の端部）は遮蔽板６５よりも外側（すなわち、より周縁側。図４では右側）に位置する。このように、傾斜部４５が遮蔽板６５よりも内側まで延在しない様にして傾斜部４５の寸法を比較的小さくすることで、導光板４０の厚さ方向の寸法を小さくできる。また、導光板４０の周縁側において、傾斜部４５と入光部４２の反射部４３とが直接連続する。これによっても、導光板４０の厚さ方向の寸法を小さくできる。これらにより発光エンブレム１の厚さ方向の寸法を小さくでき、意匠性が向上するとともに、スペースの制約が厳しい車両への搭載も可能となる。
【００２０】
（変形例）
図８は一実施形態の変形例に係る発光エンブレム１’の要部断面図であり、図９は発光エンブレム１’の導光板４０’の裏面図である。図８は一実施形態の図４に代わる図である。図８および図９に示すように、変形例の導光板４０’は入光部４２’の形状が一実施形態の入光部４２の形状と異なっている。より具体的には、変形例においては、反射部４４’を、入光部４２’の凸状部４３の中心よりも導光板４０’の外周側となる位置にのみ設け、導光板４０’の中央側となる位置には設けないようにしたものである。これにより、図８の矢印ａ’により例示するように、凸状部４３よりも内側で導光板４０’に入射した光も発光エンブレム１’の発光に用いることができる。
【００２１】
本発明は、前記各局面、前記各実施形態、前記変形例の説明に何ら限定されるものではない。特許請求の範囲の記載を逸脱せず、当業者が容易に想到できる範囲で種々の変形態様も本発明に含まれる。本明細書の中で明示した公報などの内容は、その全ての内容を援用によって引用することとする。
【符号の説明】
【００２２】
１、１’  発光エンブレム
１０  枠体
１１  環状部
１２  カバー部
２０  オーナメント
２１  彫り込み
２２  段差
３０  シート
４０、４０’  導光板
４１  多数の微細な凹部
４２、４２’  入光部
４３  凸状部
４４、４４’  反射部
４５  傾斜部
５０  基板
５１  ＬＥＤ
５２  貫通孔
６０  ハウジング
６１  底面部
６２  壁部
６３  凹部
６４  枠体取り付け部
６５  遮蔽板
【図１】
0006607146.tif 000002
【図２】
0006607146.tif 000003
【図３】
0006607146.tif 000004
【図４】
0006607146.tif 000005
【図５】
0006607146.tif 000006
【図６】
0006607146.tif 000007
【図７】
0006607146.tif 000008
【図８】
0006607146.tif 000009
【図９】
0006607146.tif 000010